【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
１フレームの画面を分割する画面分割手段と、
前記画面分割手段で分割したブロック毎に、各階調カテゴリ毎の度数からなるヒストグラムを算出するヒストグラム算出手段と、
前記ブロック毎に、他のブロックに対する各階調カテゴリ毎の度数の差分の総和をとり、さらに該差分の総和を前記他のブロック全体に対して総和をとることにより類似度係数を算出する類似度算出手段と、
前記類似度係数を対応するブロックのヒストグラムの度数に乗算する重み係数乗算手段と、
前記重み係数乗算手段で乗算したヒストグラムの度数を全ブロックにわたって加算して全体のヒストグラムを算出する全体ヒストグラム算出手段と、
前記全体ヒストグラム算出手段で算出したヒストグラムに基いてガンマカーブを作成するガンマカーブ作成手段と、
前記ガンマカーブ作成手段で作成したガンマカーブを用いて画像信号に対してガンマ補正を行うガンマ補正手段と、
を備えることを特徴とする画像信号処理装置。
【請求項２】
１フレームの画面を分割する画面分割手段と、
前記画面分割手段で分割したブロック毎に、各階調カテゴリ毎の度数からなるヒストグラムを算出するヒストグラム算出手段と、
前記画面分割手段で分割したブロック毎の平均輝度値を算出する平均輝度値算出手段と、
前記ブロック毎に、他のブロックに対する平均輝度の差分を該他のブロック全体に対して総和をとることにより、平均輝度値の類似度を算出する類似度算出手段と、
前記類似度を対応するブロックのヒストグラムの度数に乗算する重み係数乗算手段と、
前記重み係数乗算手段で乗算したヒストグラムの度数を全ブロックにわたって加算して全体のヒストグラムを算出する全体ヒストグラム算出手段と、
前記全体ヒストグラム算出手段で算出したヒストグラムに基いてガンマカーブを作成するガンマカーブ作成手段と、
前記ガンマカーブ作成手段で作成したガンマカーブを用いて画像信号に対してガンマ補正を行うガンマ補正手段と、
を備えることを特徴とする画像信号処理装置。
【請求項３】
高階調側と低階調側のそれぞれに対して予め設定された複数のガンマカーブを保存したガンマカーブ保存手段を有し、前記ガンマカーブ作成手段は、前記全体のヒストグラムに基いて、前記複数のガンマカーブから、前記高階調側と前記低階調側のそれぞれに対してガンマカーブを選択することを特徴とする請求項１または２記載の画像信号処理装置。
【請求項４】
１フレームの画面を分割する画面分割ステップと、
前記画面分割ステップで分割したブロック毎に、各階調カテゴリ毎の度数からなるヒストグラムを算出するヒストグラム算出ステップと、
前記ブロック毎に、他のブロックに対する各階調カテゴリ毎の度数の差分の総和をとり、さらに該差分の総和を前記他のブロック全体に対して総和をとることにより類似度係数を算出する類似度算出ステップと、
前記類似度係数を対応するブロックのヒストグラムの度数に乗算する重み係数乗算ステップと、
前記重み係数乗算ステップで乗算したヒストグラムの度数を全ブロックにわたって加算して全体のヒストグラムを算出する全体ヒストグラム算出ステップと、
前記全体ヒストグラム算出ステップで算出したヒストグラムに基いてガンマカーブを作成するガンマカーブ作成ステップと、
前記ガンマカーブ作成ステップで作成したガンマカーブを用いて画像信号に対してガンマ補正を行うガンマ補正ステップと、
を備えることを特徴とする画像信号処理方法。
【手続補正２】
【補正対象書類名】明細書
【補正対象項目名】０００９
【補正方法】変更
【補正の内容】
【０００９】
上記目的を達成するために、請求項１記載の画像信号処理装置は、１フレームの画面を分割する画面分割手段と、前記画面分割手段で分割したブロック毎に、各階調カテゴリ毎の度数からなるヒストグラムを算出するヒストグラム算出手段と、前記ブロック毎に、他のブロックに対する各階調カテゴリ毎の度数の差分の総和をとり、さらに該差分の総和を前記他のブロック全体に対して総和をとることにより類似度係数を算出する類似度算出手段と、前記類似度係数を対応するブロックのヒストグラムの度数に乗算する重み係数乗算手段と、前記重み係数乗算手段で乗算したヒストグラムの度数を全ブロックにわたって加算して全体のヒストグラムを算出する全体ヒストグラム算出手段と、前記全体ヒストグラム算出手段で算出したヒストグラムに基いてガンマカーブを作成するガンマカーブ作成手段と、前記ガンマカーブ作成手段で作成したガンマカーブを用いて画像信号に対してガンマ補正を行うガンマ補正手段とを備えることを特徴とする。
【手続補正３】
【補正対象書類名】明細書
【補正対象項目名】００１０
【補正方法】変更
【補正の内容】
【００１０】
請求項２記載の画像信号処理装置は、１フレームの画面を分割する画面分割手段と、前記画面分割手段で分割したブロック毎に、各階調カテゴリ毎の度数からなるヒストグラムを算出するヒストグラム算出手段と、前記画面分割手段で分割したブロック毎の平均輝度値を算出する平均輝度値算出手段と、前記ブロック毎に、他のブロックに対する平均輝度の差分を該他のブロック全体に対して総和をとることにより、平均輝度値の類似度を算出する類似度算出手段と、前記類似度を対応するブロックのヒストグラムの度数に乗算する重み係数乗算手段と、前記重み係数乗算手段で乗算したヒストグラムの度数を全ブロックにわたって加算して全体のヒストグラムを算出する全体ヒストグラム算出手段と、前記全体ヒストグラム算出手段で算出したヒストグラムに基いてガンマカーブを作成するガンマカーブ作成手段と、前記ガンマカーブ作成手段で作成したガンマカーブを用いて画像信号に対してガンマ補正を行うガンマ補正手段とを備えることを特徴とする。
【手続補正４】
【補正対象書類名】明細書
【補正対象項目名】００１１
【補正方法】変更
【補正の内容】
【００１１】
請求項４記載の画像信号処理方法は、１フレームの画面を分割する画面分割ステップと、前記画面分割ステップで分割したブロック毎に、各階調カテゴリ毎の度数からなるヒストグラムを算出するヒストグラム算出ステップと、前記ブロック毎に、他のブロックに対する各階調カテゴリ毎の度数の差分の総和をとり、さらに該差分の総和を前記他のブロック全体に対して総和をとることにより類似度係数を算出する類似度算出ステップと、前記類似度係数を対応するブロックのヒストグラムの度数に乗算する重み係数乗算ステップと、前記重み係数乗算ステップで乗算したヒストグラムの度数を全ブロックにわたって加算して全体のヒストグラムを算出する全体ヒストグラム算出ステップと、前記全体ヒストグラム算出ステップで算出したヒストグラムに基いてガンマカーブを作成するガンマカーブ作成ステップと、前記ガンマカーブ作成ステップで作成したガンマカーブを用いて画像信号に対してガンマ補正を行うガンマ補正ステップとを備えることを特徴とする。
【手続補正５】
【補正対象書類名】明細書
【補正対象項目名】００１２
【補正方法】変更
【補正の内容】
【００１２】
本発明の画像信号処理装置は、１フレームの画面を分割する画面分割手段と、画面分割手段で分割したブロック毎に、各階調カテゴリ毎の度数からなるヒストグラムを算出するヒストグラム算出手段と、ブロック毎に、他のブロックに対する平均輝度の差分を該他のブロック全体に対して総和をとることにより、平均輝度値のヒストグラムの類似度を算出する類似度算出手段とを備える。また、類似度を対応するブロックのヒストグラムの度数に乗算する重み係数乗算手段と、重み係数乗算手段で乗算したヒストグラムを全て加算して全体のヒストグラムを算出する全体ヒストグラム算出手段とを備える。また、全体ヒストグラム算出手段で算出したヒストグラムに基いてガンマカーブを作成するガンマカーブ作成手段と、ガンマカーブ作成手段で作成したガンマカーブを用いて画像信号に対してガンマ補正を行うガンマ補正手段とを備える。
【手続補正６】
【補正対象書類名】明細書
【補正対象項目名】００４５
【補正方法】変更
【補正の内容】
【００４５】
［数７］
ｒ１＝  Ｈ０  ＋  Ｈ１
ｒ２＝  ｒ１  ＋  Ｈ２  ＋  Ｈ３  ＋  Ｈ４
ｒ３  ＝  ｒ２  ＋  Ｈ５  ＋  Ｈ６  ＋  Ｈ７
一方高階調側の累積値は、高階調のカテゴリー（１５番）からカウントし、以下の［数８］で示される累積データｒ４、ｒ５を得る。